(57)【要約】【課題】スクリーンと投射管の位置関係によって発生するコンバーゼンスの補正感度の差異を軽減してコンバーゼンス調整を容易にする。【解決手段】予め前記スクリーン１９上に代表点として仮想的に配列される複数の調整点について、Ｒ、Ｇ、Ｂ各色のコンバーゼンス補正量を示すポイントデータをメモリ３１に記憶しておき、調整点それぞれに対応するポイントデータに基づいて調整点間に存在する画素のコンバーゼンス補正データを内挿演算部３５で演算し、各コンバーゼンス補正データに基づいてＲＧＢそれぞれの補助偏向信号を生成し、対応する色の投射管１８１，１８２，１８３に送ってスクリーン１９上のコンバーゼンスを補正する。コンバーゼンスの調整モードが選択された場合には、色と調整点を指定し、ポイントデータが示す補正値を調整点の位置に応じて予め決められた調整ステップで増減させることでコンバーゼンスの補正量を調整する。【選択図】    図１
2006186675.tif 000002
【特許請求の範囲】
【請求項１】
Ｒ（レッド）、Ｇ（グリーン）、Ｂ（ブルー）の投射管を有し、第1の投射管を中央に配置しその両側に第２、第３の投射管を水平方向に並べて配置し、第1の投射管の光軸を中心にして第２、第３の投射管の光軸をそれぞれ第1の投射管の光軸方向に傾斜させ、スクリーン上で各投射管からの投射映像を重ね合わせてカラー映像を表示する三管式プロジェクタ装置において、
前記スクリーン上に配列される複数の調整点について、Ｒ、Ｇ、Ｂ各色のコンバーゼンス補正量を示す補正データを記憶する記憶手段と、
前記記憶手段に記憶された各調整点における補正データを予め決められた調整ステップで増減させ、前記調整ステップを前記スクリーン上の調整点の位置に応じて異なるように調整するコンバーゼンス調整手段と、
前記複数の調整点それぞれに対応する調整された補正データに基づいて前記調整点間に存在する画素のコンバーゼンス補正データを演算する演算手段と、
前記演算手段で得られたコンバーゼンス補正データに基づいて前記ＲＧＢそれぞれの補助偏向信号を生成し、これらの補助偏向信号をもとに対応する投射管のスクリーン上でのコンバーゼンスを補正する補正手段と、
を具備したことを特徴とする三管式プロジェクタ装置。
【請求項２】
前記コンバーゼンス調整手段は、前記投射管とスクリーン間の距離が長い調整点については調整ステップが小さく、距離が短い調整点については調整ステップが大きくなるようにしたことを特徴とする請求項１記載の三管式プロジェクタ装置。
【請求項３】
前記第1の投射管はGの投射管であり、前記第２、第３の投射管はＲ及びＢの投射管であり、前記コンバーゼンス調整手段は、少なくともＲおよびＢの投射管の水平方向に対してのみ、前記調整ステップをスクリーン上の調整点の位置で異なるようにしたことを特徴とする請求項１記載の三管式プロジェクタ装置。
【請求項４】
Ｒ（レッド）、Ｇ（グリーン）、Ｂ（ブルー）の投射管を有し、第1の投射管を中央に配置しその両側に第２、第３の投射管を水平方向に並べて配置し、第1の投射管の光軸を中心にして第２、第３の投射管の光軸をそれぞれ第1の投射管の光軸方向に傾斜させ、スクリーン上で各投射管からの投射映像を重ね合わせてカラー映像を表示する三管式プロジェクタ装置に用いられ、予めスクリーン上に配列される複数の調整点について、Ｒ、Ｇ、Ｂ各色のコンバーゼンス補正量を示す補正データを記憶しておき、前記複数の調整点それぞれに対応する補正データに基づいて前記調整点間に存在する画素のコンバーゼンス補正データを演算し、前記ＲＧＢそれぞれの補助偏向信号を生成し、これらの補助偏向信号をもとに対応する投射管のスクリーン上でのコンバーゼンスを補正するコンバーゼンス制御方法において、
前記コンバーゼンスの調整モードを選択するモード選択ステップと、
前記調整モードの選択時に色と前記複数の調整点のいずれかを指定する指定ステップと、
前記記憶された補正データが示す補正値を前記スクリーン上の調整点の位置に応じて予め決められた調整ステップで増減させることでコンバーゼンスの補正量を調整するコンバーゼンス調整ステップと、を具備することを特徴とする三管式プロジェクタ装置のコンバーゼンス制御方法。
【請求項５】
前記コンバーゼンス調整ステップは、前記投射管とスクリーンの距離が長い調整点については調整ステップが小さく、距離が短い調整点については調整ステップが大きくなるようにしたことを特徴とする上記請求項４記載の三管式プロジェクタ装置のコンバーゼンス制御方法。
【請求項６】
前記第1の投射管はGの投射管であり、前記第２、第３の投射管はＲ及びＢの投射管であり、前記コンバーゼンス調整ステップは、少なくともＲおよびＢの投射管の水平方向に対してのみ、前記調整ステップをスクリーン上の調整点の位置で異なるようにしたことを特徴とする請求項４記載の三管式プロジェクタ装置のコンバーゼンス制御方法。
【発明の詳細な説明】
【技術分野】
【０００１】
この発明は、コンバーゼンス調整機能を備えた三管式プロジェクタ装置に関する。
【背景技術】
【０００２】
周知のように、背面投射型の三管式プロジェクタ装置は、赤、緑、青（以下Ｒ、Ｇ、Ｂと呼ぶ）の順に配置された三本の投射管から各色の映像をスクリーンに投射することでカラー映像を得る。Ｇの投射管に対して、Ｒの投射管とＢの投射管は予め決められた角度をもって配置される。このため、スクリーンの上では色ずれが発生する。そこで、従来では、各投射管個別に電磁補正を施すことで、色合わせを行っている。この補助的な電磁補正によって色合わせを行う装置がコンバーゼンス装置である。
【０００３】
コンバーゼンス装置に関する具体的な構成については、例えば、特許文献１の“デジタルコンバーゼンス装置”に開示されている。この文献に記載される装置は、画面上にＭ×Ｎ点の調整点を配置し、各調整点に対応したコンバーゼンス補正データを予めメモリに記憶しておく。調整時には、メモリから読み出した複数の調整点のデータを用いて、調整点間を埋めるための補間データを低域通過フィルタ特性による内挿演算によって作成する。そして、この補間データをアナログ変換した後、補助偏向用アンプによって電流増幅を行い、コンバーゼンス補正信号として受像管ネックに取付けられたコンバーゼンスヨークに供給する。この構成によれば、ユーザが調整を指示するだけで、自動的に色ずれを改善することができる。
【０００４】
しかし、実際には、コンバーゼンスは設置場所や設置方位の変化、また、テレビセット機構の僅かな変動で影響され、色ずれが発生する。この対応として、以前から、ユーザがマニュアル操作でコンバーゼンスの調整を行えるようにしたプロジェクタ装置が提供されている。
【０００５】
ところが、従来のプロジェクタ装置が備えているマニュアル操作によるコンバーゼンス調整部では、スクリーンの位置、また色に関わらず、コンバーゼンスの補正１ステップ当たりの補正データ変化量が一律となっている。画面左右では、ＲとＢのコンバーゼンスの補正感度が異なるため、一方の色は補正感度が大きすぎて調整精度が粗くなり、また他方の色は逆に補正感度が小さ過ぎてコンバーゼンスの補正に時間がかかる、という問題があった。
【特許文献１】特開平７−２１２７７９号公報
【発明の開示】
【発明が解決しようとする課題】
【０００６】
本発明の目的とするところは、スクリーンの位置また色に応じてコンバーゼンス補正１ステップあたりの補正データ変化量を調整可能で、これによって画面左右で各色のコンバーゼンスの補正感度をほぼ揃えることができ、補正感度の相違による煩雑な調整作業を緩和することのできる三管式プロジェクタ装置とそのコンバーゼンス制御方法を提供することにある。
【課題を解決するための手段】
【０００７】
本発明は、Ｒ（レッド）、Ｇ（グリーン）、Ｂ（ブルー）の投射管を有し、第1の投射管を中央に配置しその両側に第２、第３の投射管を水平方向に並べて配置し、第1の投射管の光軸を中心にして第２、第３の投射管の光軸をそれぞれ第1の投射管の光軸方向に傾斜させ、スクリーン上で各投射管からの投射映像を重ね合わせてカラー映像を表示する三管式プロジェクタ装置において、前記スクリーン上に配列される複数の調整点について、Ｒ、Ｇ、Ｂ各色のコンバーゼンス補正量を示す補正データを記憶する記憶手段と；前記記憶手段に記憶された各調整点における補正データを予め決められた調整ステップで増減させ、前記調整ステップを前記スクリーン上の調整点の位置に応じて異なるように調整するコンバーゼンス調整手段と；前記複数の調整点それぞれに対応する調整された補正データに基づいて前記調整点間に存在する画素のコンバーゼンス補正データを演算する演算手段と；前記演算手段で得られたコンバーゼンス補正データに基づいて前記ＲＧＢそれぞれの補助偏向信号を生成し、これらの補助偏向信号をもとに対応する投射管のスクリーン上でのコンバーゼンスを補正する補正手段と；を具備したことを特徴とする三管式プロジェクタ装置である。
【０００８】
また、本発明は、ＲＧＢの投射管を有する三管式プロジェクタ装置に用いられ、予めスクリーン上に配列される複数の調整点について、Ｒ、Ｇ、Ｂ各色のコンバーゼンス補正量を示す補正データを記憶しておき、前記複数の調整点それぞれに対応する補正データに基づいて前記調整点間に存在する画素のコンバーゼンス補正データを演算し、前記ＲＧＢそれぞれの補助偏向信号を生成し、これらの補助偏向信号をもとに対応する投射管のスクリーン上でのコンバーゼンスを補正するコンバーゼンス制御方法において、前記コンバーゼンスの調整モードを選択するモード選択ステップと；前記調整モードの選択時に色と前記複数の調整点のいずれかを指定する指定ステップと；前記記憶された補正データが示す補正値を前記スクリーン上の調整点の位置に応じて予め決められた調整ステップで増減させることでコンバーゼンスの補正量を調整するコンバーゼンス調整ステップと；を具備することを特徴とする。
【発明の効果】
【０００９】
上記した発明によれば、スクリーンと投射管の位置関係によって発生するコンバーゼンスの補正感度の差異を軽減できるようになり、コンバーゼンス調整がしやすくなる。このため、スクリーンの位置また色に応じてコンバーゼンス補正の１ステップ当たりの補正データ変化量を調整可能で、これによって画面左右で各色のコンバーゼンスの補正感度をほぼ揃えることができ、補正感度の相違による煩雑な調整作業を緩和することの出来る三管式プロジェクタ装置とそのコンバーゼンス制御方法を提供することができる。
【発明を実施するための最良の形態】
【００１０】
以下、この発明の実施の形態について図面を参照して詳細に説明する。
【００１１】
図１は、本発明を適用した背面投射型の三管式プロジェクタ装置の一実施形態を示すブロック構成図である。尚、実際には各投射管とスクリーンとの間にミラーを配置して、正面から見たときに正像となるように像を反転させる。
【００１２】
図１において、入力端子１１には映像信号が入力される。この映像信号は、外部から与えられるものであってもよいし、図示しない内蔵チューナーからのものであってもよい。入力された映像信号は、選択回路１２に供給される。この選択回路１２には、調整用パターン信号生成回路１３で生成されるコンバーゼンス調整用パターンの映像信号も供給される。
【００１３】
一方、入力装置１４は、映像表示モード、コンバーゼンス補正モードのいずれかを選択するための操作キーを備える。マイクロプロセッサ１５は、入力装置１４のキー操作から映像表示モード、コンバーゼンス補正モードを判別し、それぞれのモードに対応して選択回路１２の信号選択を切替制御する。
【００１４】
選択回路１２で選択された映像信号は映像信号処理回路１６に供給される。この映像信号処理回路１６は供給された映像信号からＲＧＢそれぞれの映像信号を抽出するもので、各色の映像信号はそれぞれ増幅回路１７１，１７２，１７３で増幅され、対応する投射管１８１，１８２，１８３にそれぞれ供給されて、適宜光学系（図示せず）を介してスクリーン１９の背面へ投射される。これにより、投射管１８１〜１８３それぞれからの投射映像がスクリーン１９上で重ね合わされてカラー映像が映し出される。
【００１５】
上記選択回路１２で選択された映像信号は、さらに同期分離回路２０にも供給され、ここで同期信号が抽出される。この同期信号は、主偏向信号発生回路２１に供給される。この主偏向信号発生回路２１は入力同期信号に基づいて水平（Ｈ）及び垂直（Ｖ）の主偏向信号を発生するもので、これらのＨＶ主偏向信号はＲＧＢそれぞれ対応する投射管１８１〜１８３の主偏向端子に供給される。投射管１８１〜１８３は、それぞれネックに主偏向コイル（図示せず）が装着されており、各主偏向コイルにＨＶ主偏向信号を印加することで投射光軸を偏向させる。また、主偏向信号発生回路２１は、それぞれの主偏向のタイミングに同期した水平及び垂直のタイミング信号を発生し、デジタルコンバーゼンス部２２に供給する。
【００１６】
ここで、３本の投射管１８１〜１８３とスクリーン１９との間には、適宜反射鏡が配置され、各投射管１８１〜１８３から投射される映像光はそれぞれ反射鏡によって折り返されてスクリーン１９に導かれ、これによって装置の薄型化が図れている。但し、３本の投射管１８１〜１８３それぞれのスクリーン１９との位置関係は相違している。このため、３本の投射管１８１〜１８３が同一のものであっても、スクリーン１９の画面中央部と周辺部では投影距離が異なり、このままでは投射されたＲＧＢの各色の映像が正しく重なることはなく、歪も発生してしまう。
【００１７】
デジタルコンバーゼンス部２２は、このような問題に対処するコンバーゼンス調整を行うもので、マイクロプロセッサ１５からコンバーゼンス調整実行の指令入力を受けて、主偏向信号発生回路２１からの同期信号に基づいて投射管１８１〜１８３それぞれに対応する水平及び垂直のコンバーゼンスを補正するための補助偏向信号を発生する。これら６種の補助信号は、増幅回路２３１〜２３６でそれぞれ電流増幅されて投射管１８１〜１８３の補助偏向端子に供給される。投射管１８１〜１８３は、それぞれのネックに備え付けられた水平及び垂直の補助偏向コイルに補助偏向信号を印加することで、投射光軸を調整する。
【００１８】
図２は、上記デジタルコンバーゼンス部２２の具体的な構成を示すブロック図である。また、図３は、コンバーゼンス補正モード時に選択される調整用パターン映像信号による調整用パターンの画面表示例を示す図であり、この例では縦線、横線による格子点の位置に調整ポイントが配置される。
【００１９】
図２において、不揮発性メモリ３１には、各調整ポイントでのコンバーゼンス補正量を示すデータが保存されている。不揮発性メモリ３１に保存されたデータは、マイクロプロセッサ１５からの指示により、それぞれバッファメモリ３２に転送される。タイミング信号発生部３４は、主偏向信号発生回路２１から供給される垂直、水平の走査タイミング信号を基に、メモリ３１，３２のアドレスや読み出しに関わる制御信号、また、内挿演算部３５で必要な制御信号を発生する。これにより、メモリ３２から、走査と同期した所定タイミングでコンバーゼンスデータが読み出されて内挿演算部３５に供給される。
【００２０】
内挿演算部３５は、入力された個々の調整ポイントのコンバーゼンスデータから画面全体のＲＧＢそれぞれの垂直補正量、水平補正量を演算し、演算したコンバーゼンス補正量のデータを走査タイミングに合わせてＤ／Ａコンバータ３６１〜３６６に出力する。コンバーゼンス補正量のデータは、Ｄ／Ａコンバータ３６１〜３６６でアナログ信号となるが、まだ、高調波成分が含まれたステップ状の波形である。そこで、ＬＰＦ（低域通過フィルタ）３７１〜３７６にて高調波成分を除去した後に、当該デジタルコンバーゼンス部２２から出力させる。
【００２１】
上記構成において、以下にコンバーゼンス調整について具体的に説明する。
【００２２】
まず、スクリーン１９の画面上にコンバーゼンス調整用のパターン映像を表示する。このパターン映像は、上記デジタルコンバーゼンス調整ポイントの位置でコンバーゼンスが良好に認識できるように、例えば図３に示すように各格子点を十字模様で表示する。尚、十字模様に代わって、クロスハッチ映像、キャラクターなどであってもよい。入力装置１４を通じてコンバーゼンスずれのある場所が選択されると、マイクロプロセッサ１５は調整用パターン映像信号発生回路１３に対して選択された場所ＡにマーカーＢを表示させる。そして、ユーザの指示入力に従って、デジタルコンバーゼンス部２２で求められるコンバーゼンス補正量を適宜増減させ、マーカーＢ周囲のコンバーゼンス調整を行う。
【００２３】
但し、コンバーゼンス調整は、同じ補正量であっても画面上の位置に応じて変化量が異なる。図４は、図１に示すＲ投射管１８１とスクリーン１９を抜き出し、Ｒ投射管１８１に所定のコンバーゼンス補正量を与えたときのスクリーン上の表示位置における変化量を示している。この図に示すように、同一のコンバーゼンス補正量であっても、スクリーン１９上のコンバーゼンス変化量は、表示位置によって異なり、図中ａ，ｂ，ｃで示すように、投射距離が遠くなるに従って変化量が大きくなる。
【００２４】
また、ＲとＢでは、スクリーン１９の表示位置に応じて、コンバーゼンスの所定補正量に対するラスター移動量に顕著な差異が発生する。すなわち、所定補正量に対して画面左端ではＲの移動量が小、Ｂの移動量が大となり、逆に、画面右端ではＲの移動量が大、Ｂの移動量が小となる。
【００２５】
さらに、具体的な例を示して説明する。
【００２６】
いま、調整者が入力装置１４を操作してコンバーゼンス調整モードを選択したとする。これにより、マイクロプロセッサ１５はコンバーゼンス調整開始の命令を受け取り、選択回路１２に対して調整用パターン信号発生回路１３から出力される調整用パターンの映像信号を選択するように制御する。このとき、画面には、図３に示すような調整用パターン映像が表示される。調整者がコンバーゼンスの入力装置１４を介してマイクロプロセッサ１５に調整位置を指示すると、マイクロプロセッサ１５は、調整用パターン発生信号発生回路１３に対して、調整者が指示した調整ポイントＡの近傍にマーカー（図では、四角形）Ｂを表示させる。視聴者は画面を見ながら、マーカーＢの位置のコンバーゼンスを調整する。マイクロプロセッサ１５は、視聴者の調整実行の指示を受けると、即座にデジタルコンバーゼンス部２２内のメモリ３２に格納されているコンバーゼンスデータを増減させる。
【００２７】
本発明は、上記コンバーゼンスデータの増減量をスクリーン１９の画面上の位置に応じて変化させることに特徴がある。Ｒの水平方向に関しては、図４に示したようにスクリーン１９の画面上の位置に応じてコンバーゼンス補正感度に差異がある。そこで、図５（ａ）に示すように、表示領域Ｓを領域ＳＲ１，ＳＲ２，ＳＲ３に分割し、それぞれの領域で１ステップ当たりのデータ増減量を変えて制御することで、補正感度の差異を軽減する。例えば、領域ＳＲ１では１ステップ当たりの増減量を８、領域ＳＲ２では７、領域ＳＲ３で６だけ、デジタルコンバーゼンス部２２のメモリ３２に格納されているコンバーゼンスデータの値を増減させる。
【００２８】
また、Ｂの水平方向における補正感度に関しては、Ｒの水平方向と逆の差異が発生するため、図５（ｂ）に示すように表示領域Ｓを領域ＳＢ１，ＳＢ２，ＳＢ３に分割し、例えば、領域ＳＢ３では１ステップ当たりの増減量を８、領域ＳＢ２では７、領域ＳＢ１では６だけ、デジタルコンバーゼンス部２２のメモリ３２に格納されているコンバーゼンスデータの値を増減させる。
【００２９】
上記調整動作をさらに具体化した処理の流れを、図６のフローチャートに示す。この処理では、入力装置１４として、図７に示すリモコンのテン・キーに入力操作を割り当てた場合を例にとって説明する。
【００３０】
まず、コンバーゼンス調整モードの選択時において、テン・キーは、以下のように割り当てられる。  
２…調整ポイント上へ移動、  
８…調整ポイント下へ移動、  
４…調整ポイント左へ移動、  
６…調整ポイント右へ移動、  
５…調整モードへ移行、  
７…調整データ保存と終了。  
次に、調整作業モードにおいては、以下のように割り当てられる。  
２…コンバーゼンス上へ移動、  
８…コンバーゼンス下へ移動、  
４…コンバーゼンス左へ移動、  
６…コンバーゼンス右へ移動、  
５…調整ポイント選択モードへ移行、  
３…調整対象色変更。
【００３１】
図６において、調整開始（ステップＳ１００）には、初期設定（ステップＳ１０１）として、調整ポイントの座標設定（例えばｘ＝０，ｙ＝０）及び調整対象色の指定（例えばＲ）を行う。次に、調整用パターンの表示を行う（ステップＳ１０２）。動作モードとして調整ポイント（ｘ，ｙ）が選択されると、調整ポイント近傍に調整用マーカー（例えば０≦ｘ≦６，０≦ｙ≦５の範囲）を点滅表示する（ステップＳ１０３）。
【００３２】
入力を待ち（ステップＳ１０４）、キー「２」，「８」，「４」，「６」のいずれかが入力された場合、例えば０≦ｘ≦６，０≦ｙ≦５の範囲にて調整ポイント座標（ｘ，ｙ）の増減により調整ポイントの移動処理を行って（ステップＳ１０５）、ステップＳ１０３に戻る。ステップＳ１０４でキー「７」が入力された場合には、調整データを不揮発性メモリ３１に保存し（ステップＳ１０９）、調整用パターンの表示を消去して（ステップＳ１１０）、コンバーゼンス調整を終了する（ステップＳ１１１）。
【００３３】
キー「５」が入力された場合は、動作モードを調整モードに変更すると同時に調整用マーカーを点灯表示に変更し（ステップＳ１０６）、再度、ステップＳ１０３に戻って入力を待つ（ステップＳ１０８）。キー「３」が入力された場合は、調整対象色を現在赤であれば青に、青であれば赤に変更する（ステップＳ１１２）。キー「５」が入力された場合は、動作モード変更となってステップＳ１０３に戻る。
【００３４】
キー「２」，「８」が入力された場合は、コンバーゼンスの垂直方向移動の命令であり、調整ポイントの調整データ（調整対象色、調整ポイントの座標（ｘ，ｙ）の補正データについて、８ステップだけ増減を行う（ステップＳ１１３）。キー「４」，「６」が入力された場合は、水平方向のコンバーゼンス調整命令として与えられるため、ステップＳ１３０に示す場合分けによって調整色及び調整ステップを決定する。
【００３５】
具体的には、ステップＳ１１４で調整対象色がＲ（赤）であると判断された場合には、Ｘ座標を判断し（ステップＳ１１５）、ｘ＝０，１，２，３の場合は調整ステップ＝８とし（ステップＳ１１７）、ｘ＝４，５の場合は調整ステップ＝７とし（ステップＳ１１８）、ｘ＝６の場合は調整ステップ＝６とする（ステップＳ１１９）。また、ステップＳ１１４で調整対象色がＢ（青）であると判断された場合には、Ｘ座標を判断し（ステップＳ１１６）、ｘ＝０の場合は調整ステップ＝６とし（ステップＳ１２０）、ｘ＝１，２の場合は調整ステップ＝７とし（ステップＳ１２１）、ｘ＝３，４，５，６の場合は調整ステップ＝８とする（ステップＳ１２２）。
【００３６】
以上の処理によって調整ステップが決定されると、その調整ステップ分だけ調整ポイントの調整データを増減する（ステップＳ１２３）。上記の繰り返しで、調整は継続される。本発明の特徴とする処理は、点線内の処理（ステップＳ１３０）が加わったことである。
【００３７】
以上のように、本実施形態によるプロジェクタ装置は、デジタルコンバーゼンス部２２の内部メモリ３２に格納されるコンバーゼンスデータの増減量を、スクリーン１９の位置に応じて変化させることで、スクリーン１９の位置によって変わるコンバーゼンス補正感度の差異を軽減することができる。
【００３８】
但し、本発明は、回路構成を特定するものではない。また、実施形態は、図１のもの以外にも、様々な構成が考えられる。例えば、領域の分割方法をさらに細かくすることで、感度差異をさらに低減することができる。また、Ｇ（緑）に関しても、図１に示すようにスクリーン中央部分と周辺部分とで、投射距離、角度に差異があり、ＲとＢの水平方向ほどではないが、感度差異がある。したがって、Ｇに関しても、調整ポイントの位置に応じて増減量に変化を与えるようにすれば、感度差異を軽減することができる。この場合の回路構成に関しても、図１に限定されるものではない。
【００３９】
なお、本発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００４０】
【図１】本発明を適用した背面投射型の三管式プロジェクタ装置の一実施形態を示すブロック構成図。
【図２】図１の実施形態におけるデジタルコンバーゼンス部の具体的な構成を示すブロック図。
【図３】プロジェクタ装置で使用されるコンバーゼンス調整用パターンの画面表示例を示す図。
【図４】Ｒ投射管に所定のコンバーゼンス補正量を与えたときに、スクリーン上の表示位置に応じて補正感度に差異が発生する様子を示す図。
【図５】図１の実施形態において、スクリーン上のコンバーゼンス調整用パターンと調整ステップ領域区分を示す図。
【図６】図１の実施形態のコンバーゼンス調整動作を具体的に示すフローチャート。
【図７】図１の実施形態において入力操作が割り当てられるリモコンのテン・キーの配置例を示す図。
【符号の説明】
【００４１】
１１…入力端子、
１２…選択回路、
１３…調整用パターン信号生成回路、
１４…入力装置、
１５…マイクロプロセッサ、
１６…映像信号処理回路、
１７１，１７２，１７３…増幅回路、
１８１，１８２，１８３…投射管、
１９…スクリーン、
２０…同期分離回路、
２１…主偏向信号発生回路、
２２…デジタルコンバーゼンス部、
２３１〜２３６…増幅回路、
３１…不揮発性メモリ、
３２…バッファメモリ、
３４…タイミング信号発生部、
３５…内挿演算部、
３６１〜３６６…Ｄ／Ａコンバータ、
３７１〜３７６…ＬＰＦ（低域通過フィルタ）。
【図１】
2006186675.tif 000003
【図２】
2006186675.tif 000004
【図３】
2006186675.tif 000005
【図４】
2006186675.tif 000006
【図５】
2006186675.tif 000007
【図６】
2006186675.tif 000008
【図７】
2006186675.tif 000009